(57)【要約】      （修正有）【課題】人力可搬型のドロップハンマー式の杭打機に適用して好適なように重錘の目方を人手により容易に加減できると共に、重錘の目方を変更しても、重錘を常に安定状態でフレームに架装できる小型杭打機用の重錘を提供する。【解決手段】重錘ベース本体５の左右両側の外面に、この重錘の昇降をガイドするフレームに支持案内される短アーム５ｂ，５ｃを有すると共に、本体の中心部に棒状の支持杆５ｄを立設した重錘ベース本体と、ベース本体の外形と略同形の重錘部材６であって、ベース本体と同じ位置にベース本体のそれと同様に設けた短アーム６ｂ、６ｃと、部材の中心部から短アームと直交する向きの外周に向けて設けた切欠部６ｄとを有する複数個の重錘部材とから成り、重錘ベース本体に、その棒状支持杆に対し少なくとも１個の重錘部材をその切欠部を通して載架し、垂直ベース本体と載架した重錘部材とを、それらの短アームにおいてガイドフレームに架装するようにした。【選択図】図６
0003189385.tif 000002
【実用新案登録請求の範囲】
【請求項１】
重錘ベース本体の左右両側端部に、この重錘の昇降をガイドするフレームに支持案内される短アームを有すると共に、当該本体の中心部に棒状の支持杆を立設した重錘ベース本体と、
前記ベース本体の外形と略同形の重錘部材であって、前記ベース本体と同じ位置にベース本体のそれと同様に設けた短アームと、当該部材の中心部から前記短アームと直交する向きの外周に向けて設けた切欠部とを有する複数個の重錘部材とから成り、
前記重錘ベース本体に、その棒状支持杆に対し少なくとも１個の前記重錘部材をその切欠部を通して載架し、前記垂直ベース本体と載架した重錘部材とを、それらの短アームにおいてガイドフレームに架装するようにしたことを特徴とする杭打機の重錘。
【請求項２】
重錘はベース本体，重錘部材とも平面から見て円形又は矩形を含む角形に形成し、前記短アームは、アングル材又はチャンネル材などの形鋼により形成し、この短アームを、前記ベース本体，重錘本体を平面から見てそれらの中心に通る左右方向の直線上に配設した請求項１に記載の杭打機の重錘。
【請求項３】
重錘ベース本体とこの本体に載架積重された重錘部材は、上下方向において同位相で重なる短アーム同士を、結束部材で結束一体化した状態でガイドフレームに架装するようにした請求項１又は２に記載の杭打機の重錘。
【請求項４】
重錘ベース本体の支持杆の長さは、重錘部材の厚みに基づく単位長さを有する杆部材のネジ接続構造とし、前記ベース部材に積層される重錘部材の数に合わせた長さに調節出来るようにした請求項１〜３のいずれかに記載の杭打機の重錘。
【考案の詳細な説明】
【技術分野】
【０００１】
本考案は、特に人力可搬型でドロップハンマータイプの杭打機における重錘の構造に関する。
【背景技術】
【０００２】
ドロップハンマー式の杭打機は、縦長の門型フレームや支柱型フレームなどのガイド部材に案内されて昇降するように配置された重錘に取付けたワイヤを動力ウインチにより前記ガイド部材の上で所定の高さに吊上げ、そこで前記ウインチの巻上ドラムとモータの間の接続を切って吊上げた重錘を自然落下させ、重錘の昇降線上に配置された杭の頂部を打撃し、この打撃を複数回繰返すことにより前記杭を所定位置に打込むようにした公知の機械装置である。
【０００３】
一般に公知のドロップハンマー型式の杭打機には、トラクタやトラック等の車輌に、重錘の昇降を案内する門型フレーム等のガイド部材が架装された架装タイプや大型トラックで前記フレームや重錘などの装備を現場に運び込んで組み立てるようにした現場組立タイプなど、大型のものが多い（特許文献１〜３参照）。
【０００４】
しかし、上記のような大型杭打機は、例えば、山間部を通る高速道路や自動車専用道路に面した山あい部、特に急勾配の斜面に運び込むことは不可能である。
【０００５】
ところで上記のような山間部を通る高速道路脇ように勾配がきつい斜面等には、防獣フェンスと呼ばれる溶接金網によるフェンスが、鹿や猪などの動物が道路内に進入するのを防ぐために設置される。
【０００６】
このフェンスを設置するには、当該フェンスを支持するための支柱や支柱を支持する鋼管基礎などのパイプ材を当該斜面等に道路に沿って立設しなければならないところ、支柱の立設場所が山あいの狭溢な空間であるため、従来の支柱等の立設は殆どが人力で振りおろされる鎚（ハンマー）による打込みであった。
【０００７】
上記のような人力による杭打ち（パイプ材の立設）の非効率的な人力作業の省力化，効率化のため、人力可搬できる小型の杭打機が使用されるようになった。
この杭打機は、原理的には大型杭打機と変わらず、縦長の門型フレームの頂部に滑車を吊り、当該フレームの下部にウインチを設置する一方、前記フレームに、短かい柱状の重錘を昇降可能に案内させ、前記ウインチのワイヤを前記滑車を経由して重錘に連結した構造を備えたものであり、前記ウインチでワイヤを巻き上げて重錘をフレーム上端まで持ち上げ、そこで前記ウインチの巻き上げ力をフリーにすることにより持上げていた重錘を自然落下させてこの重錘真下にあるパイプ材の頭部を打撃できるようになっている。
【０００８】
ところで、上記のような小型の杭打機では、重錘の形態（大きさ，重さ）は予め準備した１タイプしかないのが通常である。しかし、小型の杭打機でフェンス用支柱の基礎鋼管等のパイプ材を打込むべき場所は、その場所の地質や地層構造などに違いがあるため、支柱の打込みに要する打撃力が一律では済まない。打撃力はドロップハンマー式杭打機では重錘の目方（重量）によって変わるからである。特に小さな打撃力で打込みできるとき、打撃力が過剰な大重量の重錘を使用することはエネルギの無駄でもある。
【先行技術文献】
【特許文献】
【０００９】
【特許文献１】特許第２６７９７７１号公報
【特許文献２】特開平６−３４６４４０号
【特許文献３】実公平６−１９６２７号公報
【考案の概要】
【考案が解決しようとする課題】
【００１０】
そこで本考案では、人力可搬型のドロップハンマー式の杭打機に適用して好適なように重錘の目方を人手によって容易に加減できるようにすると共に、重錘の目方を変更しても、重錘を常に安定状態でフレームに架装することができるようにした小型杭打機用の重錘を提供することを、その課題とする。
【課題を解決するための手段】
【００１１】
上記課題を解決することを目的としてなされた本考案重錘の構成は、重錘ベース本体の左右両側の外面に、この重錘の昇降をガイドするフレームに支持案内される短アームを有すると共に、当該本体の中心部に棒状の支持杆を立設した重錘ベース本体と、前記ベース本体の外形と略同形の重錘部材であって、前記ベース本体と同じ位置にベース本体のそれと同様に設けた短アームと、当該部材の中心部から前記短アームと直交する向きの外周に向けて設けた切欠部とを有する複数個の重錘部材とから成り、前記重錘ベース本体に、その棒状支持杆に対し少なくとも１個の前記重錘部材をその切欠部を通して載架し、前記垂直ベース本体と載架した重錘部材とを、それらの短アームにおいてガイドフレームに架装するようにしたことを特徴とするものである。
【００１２】
本考案において、重錘ベース本体，重錘部材とも平面から見て円形又は短形を含む角形に形成し、前記短アームは、アングル材又はチャンネル材などの形鋼により形成し、この短アームを、前記ベース本体，重錘本体を平面から見てそれらの中心に通る左右方向の直線状に配設している。重錘ベース本体とこの本体に載架積重された重錘部材は、上下方向において同位相で短アーム同士が上下方向に重なるから重なった短アーム同士を、結束部材で結束一体化した状態でガイドフレームに架装することができる。また、本考案においては、ベース本体の支持杆の長さを、重錘部材の厚さに合わせた単位長さの杆部材を接続、分離自在にしておき、当該支持杆の伸長、短縮の調整ができるようにすることもできる。
【考案の効果】
【００１３】
本考案では、山あいの狭溢な場所に人力で搬送できる小型杭打機重錘を、重錘ベース本体の左右両側の外面に重錘の昇降をガイドするフレームに支持案内される短アームを有すると共に当該本体の中心部に棒状の支持杆を立設した重錘ベース本体と、前記ベース本体の外形と略同形の重錘部材であって前記ベース本体と同じ位置にベース本体のそれと同様に設けた短アームと当該部材の中心部から前記短アームと直交する向きの外周に向けて設けた切欠部とを有する複数個の重錘部材とから形成し、前記支持杆に重錘部材を加減しつつ載置積層できるようにしたから、打込み現場でベース本体に対して個々の重錘部材を加えたり減じたりすることにより、容易に打撃力を調節することができて便利である。また、本考案の重錘は、いわば組立式であるから、打込み現場に搬入するとき、全体をバラしておけば、人手による搬入であっても容易に搬入できる。
【図面の簡単な説明】
【００１４】
【図１】本考案重錘を適用する杭打機の一例の正面図。
【図２】図１の杭打機の腰部の一部を破断した側面図。
【図３】本考案重錘のベース本体の一例の斜視図。
【図４】本考案重錘の重錘部材の一例の斜視図。
【図５】本考案重錘を構成するベース部材と重錘部材を分解した状態の斜視図。
【図６】本考案重錘の組立状態の一例の斜視図。
【考案を実施するための形態】
【００１５】
次に、本考案重錘ＩＷの実施の形態例について、図を参照して説明する。図１、図２は、本考案重錘ＩＷを適用する人力搬入タイプの小型杭打機ＤＨの一例を示したもので、１は断面略コ状の形鋼により細い縦長の略門型に形成した杭打機のフレームで、上端の横メンバ１ａには、後述する本考案重錘を昇降させるためのワイヤ２が掛け回される滑車３が吊下設置されており、当該フレーム１の縦メンバ１ｂの下端部には、前記ワイヤ２の巻上げ、巻戻しなどをする巻上機４を設置するために棚状乃至ブラケット状をなす取付ベース１ｃが設けられている。なお、フレーム１には、打込まれるパイプ材Ｐ（打込み材Ｐともいう）を遊挿挟持して案内するためのガイドＧＰが着脱自在に設けられている。上記フレーム１は、以下に説明する本考案重錘ＩＷが架装されることにより、ドロップハンマータイプ小型杭打機ＤＨの一例に形成される。
【００１６】
図３は、本考案重錘ＩＷにおけるベース本体５を例示した斜視図である。図３のベース本体５は、適宜厚みを有する円盤状の本体５ａの直径上の外周壁面に、短い腕状のアーム５ｂ，５とする鋼材を本体５ａに溶接することにより設けられていると共に、中心部に上記にフック状又は環状の連結部５eを有する棒状の支持杆５ｄが直立姿勢で設けられている。
【００１７】
上記において支持杆５ｄは、図４により後述する重錘部材６の厚みと略同等の長さを単位長さとする複数本の杆部材５１をネジ式で接合して形成されている。最上部の杆部材５１の上端には、その雄ネジ部に、連結部５eの雌ネジがネジ式で接合されている。また、図３において５ｆは本体５ａの上面に形成した受座、５ｇ，５ｈは、アーム５ｂ，５ｃに設けた穴で、後述する重錘部材６を積層したとき、それらの部材６を結束固定するためのベルトやワイヤ等の結束部材を通したり、止めたりするための取付穴である。
【００１８】
図４は、前記にベース本体５に搭載積層されて本考案重錘ＩＷを形成するための重錘部材６の一例を示したもので、次の構成を具備する。
すなわち、重錘部材６は、上記のベース本体５における円盤状本体５ａの厚さと略同等厚さで円形に形成した重り本体６ａと、該本体６ａの直径上の外周面に形鋼を溶接して形成した短い腕状のアーム６ｂ、６ｃと、該アーム６ｂ、６ｃの向きに直交する方向で、当該本体６ａの中心部から外周へ向けて形成した長溝状の切欠部６ｄとを備えて形成されている。前記切欠部６ｄは、この部材６を前記ベース本体５に積層載架するとき、支持杆５ｄが嵌る溝となる。
【００１９】
本考案重錘ＩＷの一例は、図５に例示したように、１個のベース本体５と４個の重錘部材５とから形成され、ベース本体５に４個の重錘部材５を積層載架することにより、図６に例示する形態の、図１，図２に例示した杭打機ＤＨに用いる重錘として使用できるようになる。
【００２０】
すなわち、本考案重錘ＩＷは、図１，図２に例示した杭打機ＤＨのフレーム１における断面略コ状の縦メンバ１ｄの当該コ状の溝部に、この重錘ＩＷの同位相に位置する短アーム５ｂ，５ｃと同６ｂ，６ｃを入れて、当該重錘ＩＷのフレーム１上での昇降時にスムーズに作動しかつ不要な挙動をすることがないようにして、前記フレーム１にマウントする。
【００２１】
そして、巻上機４から出てフレーム１の滑車３を経由したワイヤ２の先端部を、前記重錘ＩＷにおける支持杆５ｄの上端のリング状の結合部５ｅに結合することにより、この重錘ＩＷをフレーム１の上でドロップハンマーとして用いる準備が整う。
【００２２】
そこで、前記巻上機４を巻上側に作動させて本考案重錘ＩＷをフレーム１の上方へ持上げておき、この状態でそこに打込むべきパイプ等の打込み材Ｐをフレーム１の間にセットし、このセットが完了したら巻上機４の停止クラッチを開放して、フレーム１の上方にあった重錘ＩＷを自然落下させることにより、打込み材Ｐの頂部に打込み打撃を加える。このようにして１回の打撃力が打ち込み材Ｐに加えられたら、巻上機４を巻上作動させて重錘ＩＷをフレーム１の上方まで持上げ、そこで巻上を止めて開放し打撃力を打込み材Ｐに加えるという作動を繰返して打込み材Ｐの所要深さ（地表からの所要高さ）まで打ち込んで、打込みを完了する。
【００２３】
このような態様での打込み材Ｐの打込みにおいて、山間部の地盤では地層構造などによって、打込み打撃力の大きさを変更したい場合が生じたら、本考案重錘ＩＷでは、ベース本体５に対して積層裁架する重錘部材６の積層数を、実施例でいえば１個から４個までの間で適宜選択することにより、容易にそれを実施できるという利点がある。
【００２４】
この場合において、ベース本体５に積層載架する重錘部材６が、例えば、２個であったとすると、支持杆５ｄの長さも杆部材５１の２本をネジ接合した長さに形成し、上位の杆部材５１の上端部のネジに結合部５eをネジ結合する。このように本考案では、支持杆５ｄの長さも重錘ＩＷの全高に合せて調整できるようにしている。
【００２５】
本考案は以上の通りであって、山間部を走る高速道路等に沿って設置される防獣フェンス用の鋼管基礎のようなパイプ材の打込みなどに使用される小型のドロップハンマータイプの杭打機用の重錘として、きわめて有用である、
【符号の説明】
【００２６】
ＤＨ  杭打機
１    フレーム
２    ワイヤ
３    滑車
４    巻上機
５    重錘ベース本体
５ａ  円盤状本体
５ｂ，５ｃ  短アーム
５ｅ  結合部
６    重錘部材
６ａ  重り本体
６ｂ，６ｃ  短アーム
６ｄ  切欠部
【図１】
0003189385.tif 000003
【図２】
0003189385.tif 000004
【図３】
0003189385.tif 000005
【図４】
0003189385.tif 000006
【図５】
0003189385.tif 000007
【図６】
0003189385.tif 000008